(57)【要約】【課題】自動灌水に用いられる灌水制御装置を、給水栓等からの吐水の邪魔にならず、かつ必要に応じて移動可能に設置できるようにする。【解決手段】上端に水入口C1を有し下端に水出口C2を有する灌水制御装置Cのための支持台1であって、地面に載置される台部材2と、これの上に取り付けられる第１継手部材3および第２継手部材4とを備える。第１継手部材3は、一端に１次側配管接続部3Aを有し、他端に水入口接続部3Bを有する。第２継手部材4は、一端に２次側配管接続部4Aを有し、他端に水出口接続部4Bを有する。【選択図】  図１
2004204464.tif 000002
【特許請求の範囲】
【請求項１】
上端に水入口(C1)を有しかつ下端に水出口(C2)を有する灌水制御装置(C)のための支持台(1)(10)であって、
地面に載置される台部材(2)と、台部材(2)の上に取り付けられる第１継手部材(3)(30)および第２継手部材(4)とを備え、
第１継手部材(3)(30)は、その一端に１次側配管接続部(3A)(30A)を有し、同他端に水入口接続部(3B)(30B)を有しており、
第２継手部材(4)は、その一端に２次側配管接続部(4A)を有し、同他端に水出口接続部(4B)を有している、灌水制御装置用支持台。
【請求項２】
第１継手部材(30)および第２継手部材のいずれか一方が、同他方に対して接近離間自在となされている、請求項１記載の灌水制御装置用支持台。
【請求項３】
第１継手部材(30)および第２継手部材のいずれか一方が、上下方向に伸縮自在となされている、請求項１または２記載の灌水制御装置用支持台。
【発明の詳細な説明】
【０００１】
【発明の属する技術分野】
本発明は、一般住宅の庭、マンションの共有スペース、公園等における自動灌水に用いられる灌水制御装置に関し、より詳細には、該装置を支持するための支持台に関する。
【０００２】
【従来の技術】
屋外で自動灌水を行う場合、水栓柱等に設けられた給水栓の吐水口に、灌水制御装置上端の水入口を接続し、同装置下端の水出口に給水ホースを接続するのが一般的である（例えば、特許文献１参照）。
【０００３】
また、図４に示すように、吐水口(F1)および分水口(F2)を有する双口水栓(F)を水栓柱(P)等に設け、該水栓(F)の下向き分水口(F2)に、灌水制御装置(C)上端の水入口(C1)を接続し、該装置(C)下端の水出口(C2)に分岐ホース(H)を接続するものも知られている。
【０００４】
【特許文献１】
登録実用新案第３０６２０７７号公報（図１、２、３）
【０００５】
【発明が解決しようとする課題】
しかしながら、灌水制御装置を給水栓の吐水口に直結する場合、その給水栓が灌水専用となってしまい、他の目的に使用できないという問題があった。
【０００６】
また、図４に示すように双口水栓(F)を利用する場合、上記の問題点は一応解消されるものの、灌水制御装置(C)が双口水栓(F)の吐水口(F1)からの吐水の邪魔になり、使い勝手が良くなかった。
【０００７】
さらに、上記いずれの場合も、灌水制御装置は、給水栓の吐水口または分水口に接続固定され、簡単に移動させることができないので、マンションの共有スペースや公園等に設置されているときには、第三者に勝手に操作されるおそれがあった。
【０００８】
本発明の目的は、自動灌水に用いられる灌水制御装置を、給水栓等からの吐水の邪魔にならず、かつ必要に応じて移動可能に設置できるようにすることにある。
【０００９】
【課題を解決するための手段および発明の効果】
本発明は、上端に水入口を有しかつ下端に水出口を有する灌水制御装置のための支持台であって、地面に載置される台部材と、台部材の上に取り付けられる第１継手部材および第２継手部材とを備えている。第１継手部材は、その一端に１次側配管接続部を有し、同他端に水入口接続部を有している。第２継手部材は、その一端に２次側配管接続部を有し、同他端に水出口接続部を有している。
【００１０】
上記の支持台によれば、灌水制御装置を、水栓柱等の給水栓から離れた箇所の地面に設置することができる。したがって、例えば、双口水栓よりなる給水栓の分水口から水を取り出して自動灌水を行う場合でも、灌水制御装置が、給水栓の吐水口からの吐水の邪魔になることがなく、使い勝手が良い。また、上記支持台は、これに支持された灌水装置とともに、移動させることができるので、マンションの共有スペースや公園等に設置した場合でも、必要に応じて、悪戯等されないようにしまっておくことができる。
【００１１】
本発明による灌水制御装置用支持台において、第１継手部材および第２継手部材のいずれか一方が、同他方に対して接近離間自在となされている場合がある。
【００１２】
灌水制御装置の寸法は、仕様やメーカによってまちまちである。そこで、上記のように第１および第２継手部材のうちいずれか一方を同他方に対して接近離間自在に構成しておけば、左右方向の寸法が異なる複数の灌水制御装置に対応することができる。
【００１３】
また、本発明による灌水制御装置用支持台において、第１継手部材および第２継手部材のいずれか一方が、上下方向に伸縮自在となされている場合もある。
【００１４】
上記の場合、上下方向の寸法が異なる複数の灌水制御装置に容易に対応することができる。
【００１５】
第１継手部材の１次側配管接続部および第２継手部材の２次側配管接続部の構造は、特に限定されないが、一般にワンタッチジョイントと呼ばれる迅速継手のプラグおよびソケットの一方（通常は、プラグ）で構成するようにすれば、支持台に設置された灌水制御装置の移動作業が更に容易となるので、使い勝手が向上する。
【００１６】
【発明の実施の形態】
図１は、本発明の第１の実施形態を示すものである。図１において、本発明による灌水制御装置用支持台(1)は、上端に水入口を有しかつ下端に水出口を有する灌水制御装置のための支持台であって、地面に載置される台部材(2)と、台部材(2)の上に左右方向に並んで取り付けられる第１継手部材(3)および第２継手部材(4)とを備えている。第１継手部材(3)は、その一端に右方を向いた１次側配管接続部(3A)を有し、同他端に下方を向いた水入口接続部(3B)を有している。第２継手部材(4)は、その一端に左方を向いた２次側配管接続部(4A)を有し、同他端に上方を向いた水出口接続部(4B)を有している。
【００１７】
灌水制御装置(C)は、垂直通水部、電磁弁、電池収容部、弁制御ユニット等を内部に備えている（図示略）。そして、垂直通水部の上端に水入口(C1)が、同下端に水出口(C2)が設けられている。また、該装置(C)は、開閉式カバー(C4)によって被覆可能な操作パネル(C3)を備えている。
【００１８】
台部材(2)は、平面より見て長円形をした前後２つの金属製スレッド(21)と、両スレッド(21)どうしを連結する左右２つの金属製連結具(22)とを備えている。各連結具(22)は、２枚のＬ形板(220)の垂直部(221)どうしを溶接してなる。各Ｌ形板(220)の水平部(222)先端には、スレッド(21)の内側直線部(211)に引っ掛けられてこれに溶接される下向きフック部(223)が一体に形成されている。また、各Ｌ形板(220)の垂直部(221)上端には、斜め上外方に延びる傾斜部(224)が一体に形成されている。そして、両Ｌ形板(220)の傾斜部(224)によって、連結具(22)に横断面Ｖ形の受け部(22A)が形成されている。
【００１９】
第１継手部材(3)は、台部材(2)の右側に、右側連結具(22)を介して取り付けられている。この第１継手部材(3)は、左右方向に延びる水平管部(31)と、水平管部(31)の内端（左端）から上方に延びる垂直管部(32)と、垂直管部(32)の上端から内方（左方）に向かって逆Ｕ形に湾曲した曲管部(33)とを備えている。水平管部(31)は、右側連結具(22)の受け部(22A)に受けられて、これに溶接されている。１次側配管接続部(3A)は、水平管部(31)の外端（右端）に設けられている。同接続部(3A)は、ワンタッチジョイントのプラグによって構成されており、１次側配管を構成する給水ホースの先端のソケット（図示略）に着脱自在に接続される。水入口接続部(3B)は、曲管部(33)の下向き先端部分よりなり、灌水制御装置(C)の水入口(C1)に接続されて、ナット(C5)で固定されている。
【００２０】
第２継手部材(4)は、台部材(2)の左側に、左側連結具(22)を介して取り付けられている。この第２継手部材(4)は、左右方向に延びる水平管部(41)と、水平管部(41)の内端（右端）から上方に延びる垂直管部(42)とを備えたＬ形のものである。水平管部(41)は、左側連結具(22)の受け部(22A)に受けられて、これに溶接されている。２次側配管接続部(4A)は、水平管部(41)の外端（左端）に設けられている。同接続部(4A)は、ワンタッチジョイントのプラグによって構成されており、２次側配管を構成する給水ホースの基端のソケット（図示略）に着脱自在に接続される。水出口接続部(4B)は、垂直管部(42)の先端部分よりなり、灌水制御装置(C)の水出口(C2)に接続されて、ナット(43)で固定されている。
【００２１】
上記支持台(1)に支持された灌水制御装置(C)を使用する場合、台部材(2)を所要箇所の地面に載置して、第１継手部材(3)の１次側配管接続部(3A)に、給水栓から来た１次側配管の先端を接続するとともに、第２継手部材(4)の２次側配管接続部(4A)に、灌水箇所へ延びる２次側配管の基端を接続すればよい。したがって、給水栓が吐水口と分水口とを備えた双口水栓よりなりかつ１次側配管の基端が分水口に接続される場合（図４参照）でも、支持台(1)に支持された灌水制御装置(C)は、吐水口からの吐水の邪魔にならない。
【００２２】
一方、灌水制御装置(C)を使用しない場合、第１継手部材(3)の１次側配管接続部(3A)から１次側配管の先端を外し、第２継手部材(4)の２次側配管接続部(4A)から２次側配管の基端を外して、人目に付かない場所等に移動させておくことができるので、第三者による悪戯等を防止することができる。
【００２３】
図２および３は、本発明の第２の実施形態を示すものである。この実施形態は、以下の点を除いて、図１に示す第１の実施形態と同じである。即ち、図２および３の灌水制御装置用支持台(10)にあっては、その第１継手部材(30)が、第２継手部材(4)に対して接近離間自在、即ち、左右方向移動自在となされている。また、第１継手部材(30)は、上下方向に伸縮自在となされている。
【００２４】
図２に示すように、右側連結具(23)は、下方に開放した略Ｃ形の横断面を有しており、前後２つのスレッド(21)の内側直線部(211)にまたがって、これらに左右スライド自在に嵌め被せられている。左側連結具(24)は、水平板状のものであって、前後２つのスレッド(21)の内側直線部(211)左端にまたがって載せられて、これらに溶接されている。そして、第１継手部材(30)の水平管部(31)が右側連結具(23)の上面に溶接され、第２継手部材(4)の水平管部(41)が左側連結具(24)の上面に溶接されている。
【００２５】
図２および３に示すように、第１継手部材(30)の垂直管部(320)は、径大の下側固定部(321)と、同固定部(321)内に摺動自在に嵌め入れられる径小の上側可動部(322)とを備えている。固定部(321)と可動部(322)との間は、Ｏリング等のシール部材(34)でシールされる。シール部材(34)は、ナット(35)によって固定部(321)の上端に取り付けられている。可動部(322)の上端にフランジ(322A)が形成され、該フランジ(322A)に、ガスケット(36)を介して、曲管部(33)の基端に形成されたフランジ(331)が受けられて、ナット(37)で連結固定されている。
【００２６】
上記の支持台(10)にあっては、第１継手部材(30)を台部材(2)上で左右方向にスライドさせることができるので、左右方向の寸法が異なる複数種類の灌水制御装置(C)に対応させる場合でも、各装置(C)の前記寸法に応じた曲管部(33)を用意するだけで足りる。
【００２７】
また、上記の支持台(10)にあっては、第１継手部材(30)の垂直管部(320)を伸縮させることができるので、上下方向の寸法が異なる複数種類の灌水制御装置(C)に容易に対応することができる。
【００２８】
以上に挙げた２つの実施形態はあくまでも例示にすぎず、特許請求の範囲に記載された本発明の要旨を逸脱しない範囲内で適宜に変更を加えた上で本発明を実施することも勿論可能である。
【図面の簡単な説明】
【図１】本発明の第１の実施形態を示すものであって、灌水制御装置用支持台の斜視図である。
【図２】本発明の第２の実施形態を示すものであって、灌水制御装置用支持台の斜視図である。
【図３】図２の支持台における第１継手部材の一部を示す垂直断面図である。
【図４】従来における灌水制御装置の設置例を示す斜視図である。
【符号の説明】
(C)：灌水制御装置
(C1)：水入口
(C2)：水出口
(1)(10)：灌水制御装置支持台
(2)：台部材
(3)(30)：第１継手部材
(3A)(30A)：１次側配管接続部
(3B)(30B)：水入口接続部
(4)：第２継手部材
(4A)：２次側配管接続部
(4B)：水出口接続部
【図１】
2004204464.tif 000003
【図２】
2004204464.tif 000004
【図３】
2004204464.tif 000005
【図４】
2004204464.tif 000006